【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
報知データをエンコードして配信する送信装置と、配信される報知データを受信するとともに報知データがデコードできたときは配信された報知データの情報を出力するとともにデコードできないときは出力を行わない出力装置とを有することを特徴とするデータ配信システム。
【請求項２】
エンコードされて配信される報知データを受信する受信部と、前記受信部が受信した報知データをデコードするデコード部と、前記デコード部によるデコードが可能かどうか判定する判定部と、前記判定部がデコード可能と判定したとき前記デコード部によってデコードされた報知データの情報を出力するとともに前記判定部がデコード不能と判定したときは出力を行わない出力部とを有することを特徴とする配信情報出力装置。
【請求項３】
前記報知データは警報アナウンスデータとしてＡＤＰＣＭエンコードされているとともに、前記デコード部はＡＤＰＣＭデコーダを有することを特徴とする請求項２記載の情報出力装置。
【請求項４】
配信される報知データを受信する受信部と、前記受信部が受信した報知データに基づいて情報を出力する出力部と、電源部と、前記電源部の立上りを検出して情報出力機能が正常かどうかのテストを行う制御部とを有することを特徴とする情報出力装置。
【請求項５】
送信部を有し、前記制御部は、前記電源部の立上りを検出したとき、前記送信部から検出信号を発信することを特徴とする請求項４記載の情報出力装置。
【請求項６】
前記制御部は、前記受信部によって前記検出信号への応答信号が受信されるかどうかを判定することを特徴とする請求項５記載の情報出力装置。
【請求項７】
前記応答信号はテストデータであり、前記制御部は、前記受信部によって受信されたテストデータを前記出力部から出力させることを特徴とする請求項６記載の情報出力装置。
【請求項８】
配信される報知データを受信する受信部と、前記受信部が受信した報知データに基づいて情報を出力する出力部と、前記受信部がテストデータを受信したとき情報出力機能が正常である旨の判定を行う制御部とを有することを特徴とする情報出力装置。
【請求項９】
前記テストデータはテストアナウンスデータであり、前記制御部は、前記受信部によって受信されたテストアナウンスデータを前記出力部から音声として出力させることを特徴とする請求項８記載の情報出力装置。
【請求項１０】
配信される報知データを受信する受信部と、前記受信部が受信した報知データに基づいて情報を出力する出力部と、情報出力とは別の機能を有する別機能部と、前記受信部、前記音声出力部および前記機能部に給電する共通の電源部を有し、前記機能部が機能していることによって情報出力機能に正常に給電がおこなわれていることを確認できることを特徴とする情報出力装置。
【請求項１１】
前記別機能部は時間表示部を有する時計機能部であることを特徴とする請求項１０記載の情報出力装置。
【請求項１２】
前記時計機能部による時刻報知を前記出力部によって行うことにより警報機能における前記出力部が正常であることを確認できることを特徴とする請求項１１記載の情報出力装置。
【請求項１３】
配信される警報アナウンスデータを受信する受信部と、前記受信部が受信した警報アナウンスデータに基づいて警報アナウンスを出力する音声出力部と、正しいアドレスが付与されたかどうかのテストを行う制御部とを有することを特徴とする情報出力装置。
【手続補正２】
【補正対象書類名】明細書
【補正対象項目名】発明の名称
【補正方法】変更
【補正の内容】
【発明の名称】データ配信システムおよび情報出力装置
【手続補正３】
【補正対象書類名】明細書
【補正対象項目名】０００５
【補正方法】変更
【補正の内容】
【０００５】
上記の課題を解決するため、本発明は、報知データをエンコードして配信する送信装置と、配信される報知データを受信するとともに報知データがデコードできたときは配信された報知データの情報を出力するとともにデコードできないときは出力を行わない出力装置とを有することを特徴とするデータ配信システムを提供する。
デコードできないときは所定の規格に準拠していない方式でエンコードされているため偽の情報である可能性がある。したがって偽の情報が流れないため情報の信頼性の高いデータ配信システムを構築することができる。

【手続補正４】
【補正対象書類名】明細書
【補正対象項目名】０００６
【補正方法】変更
【補正の内容】
【０００６】
本発明の他の特徴によれば、エンコードされて配信される報知データを受信する受信部と、前記受信部が受信した報知データをデコードするデコード部と、前記デコード部によるデコードが可能かどうか判定する判定部と、前記判定部がデコード可能と判定したとき前記デコード部によってデコードされた報知データの情報を出力するとともに前記判定部がデコード不能と判定したときは出力を行わない出力部とを有することを特徴とする配信情報出力装置を提供する。
本発明の具体的特徴によれば、報知データは警報アナウンスデータとしてＡＤＰＣＭエンコードされているとともに、前記デコード部はＡＤＰＣＭデコーダを有する。

【手続補正５】
【補正対象書類名】明細書
【補正対象項目名】０００７
【補正方法】変更
【補正の内容】
【０００７】
本発明の他の特徴によれば、配信される報知データを受信する受信部と、前記受信部が受信した報知データに基づいて情報を出力する出力部と、電源部と、前記電源部の立上りを検出して情報出力機能が正常かどうかのテストを行う制御部とを有することを特徴とする情報出力装置を提供する。

【手続補正６】
【補正対象書類名】明細書
【補正対象項目名】０００８
【補正方法】変更
【補正の内容】
【０００８】
上記のように電源の立ち上がりとともに情報出力機能が正常かどうかのテストを行うことで、例えば情報出力装置を電源に接続するごとに機能の確認ができ、装置の信頼性を高めることができる。
本発明の具体的特徴によれば、情報出力装置は送信部を有し、前記制御部は、前記電源部の立上りを検出したとき、前記送信部から検出信号を発信する。
本発明の別の具体的特徴によれば、制御部は、前記受信部によって前記検出信号への応答信号が受信されるかどうかを判定することを特徴とする。
【手続補正７】
【補正対象書類名】明細書
【補正対象項目名】０００９
【補正方法】変更
【補正の内容】
【０００９】
本発明の具体的特徴によれば、応答信号はテストデータであり、前記制御部は、前記受信部によって受信されたテストデータを前記出力部から出力させる。これによってテストの結果を確認できる。
【手続補正８】
【補正対象書類名】明細書
【補正対象項目名】００１０
【補正方法】変更
【補正の内容】
【００１０】
本発明の他の特徴によれば、配信される報知データを受信する受信部と、前記受信部が受信した報知データに基づいて情報を出力する出力部と、前記受信部がテストデータを受信したとき情報出力機能が正常である旨の判定を行う制御部とを有することを特徴とする情報出力装置が提供される。
【手続補正９】
【補正対象書類名】明細書
【補正対象項目名】００１１
【補正方法】変更
【補正の内容】
【００１１】
本発明の具体的特徴によれば、テストデータはテストアナウンスデータであり、前記制御部は、前記受信部によって受信されたテストアナウンスデータを前記出力部から音声として出力させる。
【手続補正１０】
【補正対象書類名】明細書
【補正対象項目名】００１２
【補正方法】変更
【補正の内容】
【００１２】
本発明の他の特徴によれば、配信される報知データを受信する受信部と、前記受信部が受信した報知データに基づいて情報を出力する出力部と、情報出力とは別の機能を有する別機能部と、前記受信部、前記音声出力部および前記機能部に給電する共通の電源部を有し、前記機能部が機能していることによって情報出力機能に正常に給電がおこなわれていることを確認できることを特徴とする情報出力装置を提供できる。
本発明の具体的特徴によれば、別機能部は時間表示部を有する時計機能部であることを特徴とする情報出力装置が用いられる。
また、上記のさらに詳細な特徴によれば、時計機能部による時刻報知を前記出力部によって行うことにより警報機能における前記出力部が正常であることを確認できることを特徴とする情報出力装置が用いられる。
【手続補正１１】
【補正対象書類名】明細書
【補正対象項目名】００１３
【補正方法】変更
【補正の内容】
【００１３】
本発明の他の特徴によれば配信される警報アナウンスデータを受信する受信部と、前記受信部が受信した警報アナウンスデータに基づいて警報アナウンスを出力する音声出力部と、正しいアドレスが付与されたかどうかのテストを行う制御部とを有することを特徴とする情報出力装置を提供する。各情報出力装置が正しくアドレスが付与どうかのテストを行うことで複数の情報出力装置が設置されてもデータの交信に混乱がないようにすることができる。